(57)【要約】【課題】電子機器において電磁波を受電することにより充電が行われている場合であっても、その電子機器が行う通信に悪影響を及ぼすことを低減するシステムを提供する。【解決手段】システムは、スマートフォン１（電子機器）及び充電器を備える。スマートフォン１は、通信に用いられる第１電磁波を送信又は受信するアンテナ部と、充電に用いられる第２電磁波を受電する複数の受電部６０と、アンテナ部によって第１電磁波が送信又は受信される場合、複数の受電部６０のうち、アンテナ部に最も近い第１受電部とは異なる第２受電部によって第２電磁波を受電するよう制御するコントローラ１０と、を備える。充電器は、第２電磁波を送電する送電部と、アンテナ部によって第１電磁波を送信又は受信している場合に、第２受電部に対して第２電磁波を送電するよう送電部を制御する第２制御部と、を備える。【選択図】図６
2013201839.tif 000002
【特許請求の範囲】
【請求項１】
通信に用いられる第１電磁波を送信又は受信するアンテナ部と、
充電に用いられる第２電磁波を受電する複数の受電部と、
前記アンテナ部によって前記第１電磁波が送信又は受信される場合、前記複数の受電部のうち、前記アンテナ部に最も近い第１の受電部とは異なる第２の受電部によって前記第２電磁波を受電するよう制御する第１制御部と、を備える電子機器、及び
前記複数の受電部の一部又は全部に対して前記第２電磁波を送電する送電部と、
前記アンテナ部によって前記第１電磁波を送信又は受信している場合には、前記第２の受電部に対して前記第２電磁波を送電するよう、前記送電部を制御する第２制御部と、を備える充電器を含む、
システム。
【請求項２】
前記第１制御部は、前記アンテナ部によって送信又は受信をしている場合である通信優先モードを備え、
前記通信優先モードの場合においては、前記第１の受電部を用いずに前記第２の受電部を用いて前記第２電磁波を受電させる
請求項１に記載のシステム。
【請求項３】
前記第１制御部は、前記第２電磁波が受電される場合に、前記アンテナ部によって受信される前記第１電磁波の受信信号強度が予め設定された第２の閾値未満であると、前記通信優先モードに設定する
請求項２に記載のシステム。
【請求項４】
前記第１制御部は、受電を優先する受電優先モードを備え、
前記受電優先モードの場合においては、少なくとも２以上の前記受電部を用いて受電を行う
請求項１に記載のシステム。
【請求項５】
前記電子機器は、前記複数の受電部のうち少なくとも一つが受電した電力を充電する二次電池をさらに備え、
前記第１制御部は、前記二次電池の電池残量が予め設定された第１の閾値未満の場合には、前記受電優先モードに設定する
請求項４に記載のシステム。
【請求項６】
前記複数の受電部のうちの一つは、非接触通信に利用される非接触用アンテナ部である
請求項１から５のいずれか１項に記載のシステム。
【請求項７】
前記電子機器は、通信優先モードの場合には、前記第２の受電部に向かって前記第２電磁波を送電させるよう制御する制御信号を送信する送信部を備え、
前記充電器は、前記制御信号を受信する受信部をさらに備え、
前記第２制御部は、前記制御信号に基づいて前記送電部を制御する
請求項１から６のいずれかに記載のシステム。
【請求項８】
前記送電部は、前記制御信号を受信する請求項７記載のシステム。
【請求項９】
前記送電部は、前記第２電磁波とは周波数の異なる第３電磁波により前記制御信号を受信する
請求項８記載のシステム。
【請求項１０】
通信に用いられる第１電磁波を送信又は受信するアンテナ部と、
充電に用いられる第２電磁波を受電する複数の受電部と、
前記アンテナ部によって前記第１電磁波が送信又は受信される場合、前記複数の受電部のうち、前記アンテナ部に最も近い第１の受電部とは異なる第２の受電部によって前記第２電磁波を受電するよう制御する制御部と、を備える電子機器。
【発明の詳細な説明】
【技術分野】
【０００１】
本発明は、充電に用いられる電磁波を出力する充電器と、その電磁波を受電する電子機器とを備えるシステムに関する。
【背景技術】
【０００２】
従来から、電動歯ブラシ及び電気シェーバ等の電子機器では、非接触充電が利用されている。近年では、スマートフォン等の携帯電話機にも非接触充電が利用されるようになっている。ところで、非接触充電が行われるときには、ノイズが発生する可能性がある。そのノイズは、携帯電話機の通信に悪影響を与える。このため、携帯電話機には、通信を行う場合に非接触充電を停止させるものがある（特許文献１参照）。
【先行技術文献】
【特許文献】
【０００３】
【特許文献１】特開２００８−２０６２９７号公報
【発明の概要】
【発明が解決しようとする課題】
【０００４】
しかしながら、特許文献１に記載された携帯電話機では、通信中には充電が行われないため、通信が長時間行われると二次電池の電池残量が少なくなり、通信を継続することができない可能性がある。
【０００５】
本発明は、電子機器において電磁波を受電することにより充電が行われている場合であっても、その電子機器が行う通信に悪影響を及ぼすことを低減するシステムを提供することを目的とする。
【課題を解決するための手段】
【０００６】
本発明のシステムは、通信に用いられる第１電磁波を送信又は受信するアンテナ部と、充電に用いられる第２電磁波を受電する複数の受電部と、前記アンテナ部によって前記第１電磁波が送信又は受信される場合、前記複数の受電部のうち、前記アンテナ部に最も近い第１の受電部とは異なる第２の受電部によって前記第２電磁波を受電するよう制御する第１制御部と、を備える電子機器、及び、前記複数の受電部の一部又は全部に対して前記第２電磁波を送電する送電部と、前記アンテナ部によって前記第１電磁波を送信又は受信している場合には、前記第２の受電部に対して前記第２電磁波を送電するよう、前記送電部を制御する第２制御部と、を備える充電器を含む。
【０００７】
また、前記第１制御部は、前記アンテナ部によって送信又は受信をしている場合である通信優先モードを備え、前記通信優先モードの場合においては、前記第１の受電部を用いずに前記第２の受電部を用いて前記第２電磁波を受電させることが好ましい。
【０００８】
また、前記第１制御部は、前記第２電磁波が受電される場合に、前記アンテナ部によって受信される前記第１電磁波の受信信号強度が予め設定された第２の閾値未満であると、前記通信優先モードに設定することが好ましい。
【０００９】
また、前記第１制御部は、受電を優先する受電優先モードを備え、前記受電優先モードの場合においては、少なくとも２以上の前記受電部を用いて受電を行うことが好ましい。
【００１０】
また、前記電子機器は、前記複数の受電部のうち少なくとも一つが受電した電力を充電する二次電池をさらに備え、前記第１制御部は、前記二次電池の電池残量が予め設定された第１の閾値未満の場合には、前記受電優先モードに設定することが好ましい。
【００１１】
また、前記複数の受電部のうちの一つは、非接触通信に利用される非接触用アンテナ部であることが好ましい。
【００１２】
また、前記電子機器は、前記通信優先モードの場合には、前記第２の受電部に向かって前記第２電磁波を送電させるよう制御する制御信号を送信する送信部を備え、前記充電器は、前記制御信号を受信する受信部をさらに備え、前記第２制御部は、前記制御信号に基づいて前記送電部を制御することが好ましい。
【００１３】
また、前記送電部は、前記制御信号を受信することが好ましい。
【００１４】
また、前記送電部は、前記第２電磁波とは周波数の異なる第３電磁波により前記制御信号を受信することが好ましい。
【００１５】
また、本発明の電子機器は、通信に用いられる第１電磁波を送信又は受信するアンテナ部と、充電に用いられる第２電磁波を受電する複数の受電部と、前記アンテナ部によって前記第１電磁波が送信又は受信される場合、前記複数の受電部のうち、前記アンテナ部に最も近い第１の受電部とは異なる第２の受電部によって前記第２電磁波を受電するよう制御する制御部と、を備える。
【発明の効果】
【００１６】
本発明によれば、電子機器において電磁波を受電することにより充電が行われている場合であっても、その電子機器が行う通信に悪影響を及ぼすことを低減することができる、
【図面の簡単な説明】
【００１７】
【図１】図１は、実施形態に係るスマートフォン及び充電器の外観を示す斜視図である。
【図２】図２は、実施形態に係るスマートフォンの外観を示す斜視図である。
【図３】図３は、実施形態に係るスマートフォンの外観を示す正面図である。
【図４】図４は、実施形態に係るスマートフォンの外観を示す背面図である。
【図５】図５は、ホーム画面の一例を示す図である。
【図６】図６は、実施形態に係るスマートフォンの機能を示すブロック図である。
【図７】図７は、第１アンテナ部及び受電部に含まれるコイルについて説明するための図である。
【図８】図８は、充電器の機能を示すブロック図である。
【図９】図９は、スマートフォンの二次電池が充電される場合の動作を説明するためのフローチャートである。
【発明を実施するための形態】
【００１８】
本発明を実施するための実施形態を、図面を参照しつつ詳細に説明する。以下では、電子機器の一例として、スマートフォンについて説明する。
【００１９】
（実施形態）
図１に示すように、スマートフォン１は、非接触型の充電器１００と共に、システム２００を構成する。充電器１００については、後述する。
次に、図２から図４を参照しながら、実施形態に係るスマートフォン１の外観について説明する。図２から図４に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００２０】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００２１】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００２２】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２３】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２４】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２５】
タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００２６】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００２７】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２８】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２９】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００３０】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００３１】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００３２】
図５を参照しながら、ディスプレイ２Ａに表示される画面の例について説明する。図５は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００３３】
スマートフォン１は、ホーム画面にアイコンを配置することができる。図５に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップを検出すると、メールアプリケーションを実行する。ここで、スマートフォン１は、例えば、タッチスクリーンディスプレイ２に対するアイコン５０の表示位置（領域）に対応する位置（領域）へのジェスチャを、アイコン５０に対応付けられたアプリケーションの実行命令であると解釈する。
【００３４】
アイコン５０は、画像と文字列を含む。アイコン５０は、画像に代えて、記号又は図形を含んでもよい。アイコン５０は、画像又は文字列のいずれか一方を含まなくてもよい。アイコン５０は、所定の規則に従って配置される。アイコン５０の背後には、壁紙４１が表示される。壁紙は、フォトスクリーン又はバックスクリーンと呼ばれることもある。スマートフォン１は、任意の画像を壁紙４１として用いることができる。画像は、例えば、利用者の設定に従って任意の画像が壁紙４１として決定される。
【００３５】
スマートフォン１は、ホーム画面の数を増減することができる。スマートフォン１は、例えば、ホーム画面の数を利用者による設定に従って決定する。スマートフォン１は、ホーム画面を表示する場合、ホーム画面の数が複数であっても、それらのうちから選択された１つをディスプレイ２Ａに表示する。
【００３６】
スマートフォン１は、ホーム画面上に、１つ又は複数のロケータを表示する。ロケータの数は、ホーム画面の数と一致する。ロケータは、現在表示されているホーム画面の位置を示す。現在表示されているホーム画面に対応するロケータは、他のロケータと異なる態様で表示される。
【００３７】
図５に示す例では、４つのロケータ５１が表示されている。これは、ホーム画面４０の数が４つであることを示す。図５に示す例では、左から２番目のシンボルが他のシンボルと異なる態様で表示されている。これは、左から２番目のホーム画面が現在表示されていることを示している。
【００３８】
スマートフォン１は、ホーム画面を表示中に特定のジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。スマートフォン１は、左フリックを検出すると、ディスプレイ２Ａに表示するホーム画面を１つ右のホーム画面に切り替える。
【００３９】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、現在時刻、天気の情報、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０とは別の画面でも設けられることがある。領域４２が設けられる位置は、ディスプレイ２Ａの上端に限られない。
【００４０】
なお、図５に示したホーム画面４０は、一例であり、各種の要素の形態、各種の要素の配置、ホーム画面４０の数、及びホーム画面４０での各種の操作の仕方等は上記の説明の通りでなくてもよい。
【００４１】
図６は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、カメラ１２及び１３と、外部インターフェイス１４と、加速度センサ１５と、方位センサ１６と、回転検出センサ１７とを有する。
【００４２】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００４３】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００４４】
例えば、ボタン３Ａ〜３Ｃは、ホームボタン、バックボタン又はメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００４５】
照度センサ４は、照度を検出する。例えば、照度とは、光の強さ、明るさ、輝度等である。照度センサ４は、例えば、ディスプレイ２Ａの輝度の調整に用いられる。
【００４６】
近接センサ５は、近隣の物体の存在を非接触で検出する。近接センサ５は、例えば、タッチスクリーンディスプレイ２が顔に近付けられたことを検出する。
【００４７】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ（登録商標）、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４８】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００４９】
ストレージ９は、プログラム及びデータを記憶する。ストレージ９は、コントローラ１０の処理結果を一時的に記憶する作業領域としても利用される。ストレージ９は、半導体記憶デバイス、及び磁気記憶デバイス等の任意の記憶デバイスを含んでよい。ストレージ９は、複数の種類の記憶デバイスを含んでよい。ストレージ９は、メモリカード等の可搬の記憶媒体と、記憶媒体の読み取り装置との組み合わせを含んでよい。
【００５０】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【００５１】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルが格納されている。配置パターンデータベース９Ｅは、ディスプレイ２Ａに表示されるアイコン等の配置パターンが格納されている。設定データ９Ｚは、スマートフォン１の動作に関する各種の設定機能を提供する。ストレージ９は、複数のアドレス情報を含むアドレス帳情報が格納されている。
【００５２】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００５３】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００５４】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、ボタン３、加速度センサ１５等の各種検出部の検出結果に応じて、制御を変更することもある。
【００５５】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００５６】
カメラ１２は、フロントフェイス１Ａに面している物体を撮影するインカメラである。カメラ１３は、バックフェイス１Ｂに面している物体を撮影するアウトカメラである。
【００５７】
外部インターフェイス１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。外部インターフェイス１４は、Ｄｏｃｋコネクタのような専用に設計された端子でもよい。外部インターフェイス１４に接続される装置には、例えば、外部ストレージ、スピーカ、通信装置が含まれる。
【００５８】
加速度センサ１５は、スマートフォン１に働く加速度の方向及び大きさを検出する。方位センサ１６は、地磁気の向きを検出する。回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
【００５９】
このように構成されるスマートフォン１は、電磁波を受電することにより充電が行われている場合であっても、通信を行うことができる。以下に、具体的な構成について説明する。
【００６０】
図７は、アンテナ部６Ａ及び受電部６０に含まれるコイルについて説明するための図である。スマートフォン１は、アンテナ部６Ａ（図７参照）と、複数の受電部６０（６１，６２，６３）（図６参照）と、二次電池６４と、送信部６５と、を備える。
【００６１】
アンテナ部６Ａは、通信に用いられる第１電磁波を送信又は受信する。アンテナ部６Ａは、上述した通信ユニット６に設けられている。したがって、アンテナ部６Ａは、上述した無線通信規格で定められた周波数を有する第１電磁波を送信し又は受信する。
【００６２】
複数の受電部６０は、例えば、第２受電部６１と、第１受電部６２と、第３受電部６３とで構成される。なお、受電部６０の数は、３つに限定されることはない。受電部６０は、充電に用いられる第２電磁波を受電する。具体的には、各受電部６１，６２，６３は、第２電磁波を受電するコイル６１Ａ，６２Ａ，６３Ａ（図７参照）を備える。
【００６３】
複数のコイル６１Ａ，６２Ａ，６３Ａは、本実施形態の場合、アンテナ部６Ａから離れる方向に沿って配置されている。本実施形態では、アンテナ部６Ａから離れた位置に配置される第２コイル６１Ａは、第２受電部６１に備えられる。また、アンテナ部６Ａに近い位置に配置される第１コイル６２Ａは、第１受電部６２に備えられる。さらに、第２コイル６１Ａと第１コイル６２Ａとの間に配置される第３コイル６３Ａは、第３受電部６３に備えられる。なお、第２コイル６１Ａ、第１コイル６２Ａ及び第３コイル６３Ａが配置される位置は、図７に示す位置に限定されることはない。
【００６４】
受電部６０は、第２電磁波を受電すると電力に変換して、二次電池６４（図６参照）に充電する。なお、二次電池６４は、受電部６０によって第２電磁波が受電されることに基づいて電力が充電される。なお、第２電磁波は、後述する充電器１００から出力される。
【００６５】
上述したコントローラ１０（第１制御部）は、アンテナ部６Ａによって第１電磁波が送信され又は受信される場合、複数の受電部６０のうち、アンテナ部６Ａから離れた第２受電部６１（第２コイル６１Ａ）によって第２電磁波を受電するよう制御することが可能である。すなわち、アンテナ部６Ａによって第１電磁波が送信され又は受信される場合、第１受電部６２（第１コイル６２Ａ）及び第３受電部６３（第３コイル６３Ａ）は、第２電磁波を受電しない。
【００６６】
このようなスマートフォン１によれば、第２電磁波を受電する受電部（コイル）がアンテナ部６Ａから離れた第２受電部６１（第２コイル６１Ａ）であるため、第２受電部６１（第２コイル６１Ａ）が第２電磁波を受電することに起因してノイズが発生する場合でも、そのノイズがアンテナ部６Ａの特性に悪影響を及ぼすことを低減できる。
【００６７】
送信部６５は、第２受電部６１（第２コイル６１Ａ）によって第２電磁波を受電する場合に、第２受電部６１（第２コイル６１Ａ）に対向する位置から送電部１０１（後述）によって第２電磁波を送電させるための制御信号を充電器１００（後述）に送信する。すなわち、送信部６５は、コントローラ１０の制御に基づいて、第２受電部６１（第２コイル６１Ａ）によって受電される第２電磁波の強度がより大きくなるように送電部１０１を制御するための制御信号を送信する。このように制御されることにより、アンテナ部６Ａに届く電磁波の届く量が低減される。
【００６８】
ここで、充電器１００について説明する。図８は、充電器１００の機能を示すブロック図である。充電器１００は、充電ケーブルを介さずにスマートフォン１を充電させることができる非接触型の充電器１００である。このような充電器１００は、送電部１０１と、受信部１０２と、第２制御部１０３とを備える。
【００６９】
送電部１０１は、受電部６０に対して第２電磁波を送電する。具体的には、送電部１０１は、コイル（図示せず）を備え、そのコイルから第２電磁波を送電する。ここで、送電部１０１は、１又は複数のコイルを備える。送電部１０１が１つのコイルを備える場合には、そのコイルは、充電器１００の平面方向に沿って移動することが可能である。このような充電器１００は、可動コイル方式の充電器１００である。一方、送電部１０１が複数のコイルを備える場合には、それぞれのコイルは、充電器１００に固定されている。そして、送電部１０１が第２電磁波を送電する場合には、送電部１０１は、複数のコイルのうち少なくとも１つのコイルから第２電磁波を送電させる。このような充電器１００は、マルチコイル方式の充電器１００である。
【００７０】
受信部１０２は、スマートフォン１から送信された、送電部１０１を制御するための制御信号を受信する。受信部１０２は、制御信号を受信すると、第２制御部１０３に供給する。
【００７１】
第２制御部１０３は、アンテナ部６Ａによって第１電磁波が送信され又は受信されている場合には、第２受電部６１に対して第２電磁波を送電するよう、送電部１０１を制御することが可能である。具体的には、充電器１００が可動コイル方式の場合において、アンテナ部６Ａによって第１電磁波が送信され又は受信されることにより、第２受電部６１（第２コイル６１Ａ）によって第２電磁波が受電されるときには、第２制御部１０３は、制御信号に基づいて、送電部１０１のコイルを第２受電部６１（第２コイル６１Ａ）に対向する位置に移動させる。一方、充電器１００がマルチコイル方式の場合において、アンテナ部６Ａによって第１電磁波が送信され又は受信されることにより、第２受電部６１（第２コイル６１Ａ）によって第２電磁波が受電されるときには、第２制御部１０３は、制御信号に基づいて、第２受電部６１（第２コイル６１Ａ）に対向する位置に配置される送電部１０１のコイルから第２電磁波を送電させる。
【００７２】
このような充電器１００によれば、第２電磁波を送電する送電部１０１とスマートフォン１のアンテナ部６Ａとの距離が相対的に遠くなるため、送電部１０１によって第２電磁波を送電することに起因してノイズが発生する場合でも、そのノイズがアンテナ部６Ａの特性に悪影響を及ぼすことを低減できる。
【００７３】
以上より、スマートフォン１と充電器１００とを備えるシステム２００では、スマートフォン１において第２電磁波を受電することにより二次電池６４に充電が行われている場合であっても、そのスマートフォン１が行う通信に悪影響を及ぼすことを低減することができる。
【００７４】
なお、上述した実施形態では、制御信号がスマートフォン１の送信部６５から送信されて、充電器１００の受信部１０２によって受信される場合について説明した。この変形例として、制御信号は、複数の受電部６０のいずれかから送信されて、送電部１０１によって受信されることも可能である。すなわち、複数の受電部６０は、第２受電部６１に対向する位置から送電部１０１によって第２電磁波を送電させるための信号（制御信号）としての第３電磁波を送信することが可能である。また、送電部１０１は、第３電磁波を受信することが可能である。第３の電磁波は、第２電磁波とは周波数が異なる。
【００７５】
また、コントローラ１０は、受電部６０によって第２電磁波を受電する場合のモードを、受電優先モードに設定したり、通信優先モードに設定できたりしてもよい。
受電優先モードは、他のモードよりも使用する受電部の数が多く、例えば、２以上の受電部６０によって第２電磁波を受電するため、受電効率の良いモードである。例えば、受電優先モードは、第１受電部６２と第３受電部６３とで第２電磁波を受電する、第２受電部６１と第３受電部６３とで第２電磁波を受電する、又は、第２受電部６１と第１受電部６２と第３受電部６３とで第２電磁波を受電するモードである。そして、第１受電部６２と第３受電部６３とで第２電磁波を受電する場合には、１又は複数の送電部１０１は、第１受電部６２及び第３受電部６３に対向する位置から第２電磁波を送電する。また、第２受電部６１と第３受電部６３とで第２電磁波を受電する場合には、１又は複数の送電部１０１は、第２受電部６１及び第３受電部６３に対向する位置から第２電磁波を送電する。また、第２受電部６１と第１受電部６２と第３受電部６３とで第２電磁波を受電する場合には、１又は複数の送電部１０１は、第２受電部６１、第１受電部６２及び第３受電部６３に対向する位置から第２電磁波を送電する。
【００７６】
通信優先モードは、第１受電部６２によって第２電磁波を受信させずに、第２受電部６１によって第２電磁波を受電させるときのモードである。そして、通信優先モードに設定された場合には、送電部１０１は、第２受電部６１に対向する位置から第２電磁波を送電する。
【００７７】
コントローラ１０は、受電優先モードに設定した場合には、アンテナ部６Ａによって第１電磁波が送信され又は受信されるときでも、第１受電部６２によって第２電磁波を受電可能とさせる。
これにより、スマートフォン１と充電器１００とを備えるシステム２００は、受電優先モードに設定された場合には、第２電磁波を受電する効率がより高い受電部６０を選択することができる。また、システム２００は、ユーザによって受電優先モード又は通信優先モードが選択された場合には、選択されたモードに応じた受電部６０を選択することができる。
【００７８】
また、コントローラ１０は、二次電池６４の電池残量が予め設定された第１の閾値未満の場合には、受電優先モードに設定することが好ましい。すなわち、二次電池６４の電池残量がなくなった場合、スマートフォン１では、通信ユニット６を利用して行われている通信は切断されてしまう等の悪影響が発生する。このため、二次電池６４の電池残量が相対的に少ない場合、コントローラ１０は、電池残量がなくなることを回避するために、上述した受電優先モードに設定する。受電優先モードに設定された場合、スマートフォン１では、第２電磁波を受電する効率がよくなるように高い受電部６０が選択され、具体的には、第１受電部６２が選択される。また、充電器１００では、選択された受電部６０に対向する位置に配置された送電部１０１から第２電磁波を送電する。
なお、電池残量は、二次電池６４の端子における電圧値で計測されたり、二次電池６４から入出力された電流量の収支を計測したりすることによって計測される。
これにより、スマートフォン１と充電器１００とを備えるシステム２００は、二次電池６４の電池残量を回復させることができる。
【００７９】
コントローラ１０は、受電部６０によって第２電磁波が受電される場合に、アンテナ部６Ａによって受信される第１電磁波の受信信号強度（ＲＳＳＩ:Ｒｅｃｅｉｖｅｄ  Ｓｉｇｎａｌ  Ｓｔｒｅｎｇｔｈ  Ｉｎｄｉｃａｔｉｏｎ）が予め設定された第２の閾値未満であると、第２受電部６１のみによって第２電磁波を受電させることが好ましい。
【００８０】
すなわち、ＲＳＳＩ値が第２の閾値よりも大きい場合には、アンテナ部６Ａによって送受信される電波の環境が良いため、受電部６０及び送電部１０１によってノイズが発生したとしても、通信を継続することが可能になる。これに対し、ＲＳＳＩ値が第２の閾値未満の場合には、アンテナ部６Ａによって送受信される電波の環境が悪いため、受電部６０及び送電部１０１によってノイズが発生すると、通信を継続することが困難になる。
【００８１】
よって、ＲＳＳＩ値が第２の閾値未満の場合には、コントローラ１０は、通信優先モードに設定して、第２受電部６１によって第２電磁波を受電させる。さらに、第２制御部１０３は、スマートフォン１から送信された制御信号に基づいて、第２受電部６１に対向する位置に配置された送電部１０１から第２電磁波を送電させる。
【００８２】
これにより、スマートフォン１と充電器１００とを備えるシステム２００は、受電部６０及び送電部１０１において発生したノイズがアンテナ部６Ａの特性に悪影響を及ぼすことを低減できるため、二次電池６４が充電されるときでもスマートフォン１の通信を継続させることができる。
【００８３】
スマートフォン１は、非接触通信に利用される第２アンテナ部をさらに備えることが好ましい。すなわち、スマートフォン１が、例えば、ＦｅｌｉＣａ（登録商標）等のＩＣ（Ｉｎｔｅｇｒａｔｅｄ  Ｃｉｒｃｕｉｔ）カード機能を有している場合には、第２アンテナ部は、ＩＣカード機能に利用されるデータの送受信を行う。
【００８４】
そして、複数の受電部６０のうちの１つは、上述した第２アンテナ部を構成する。なお、第２アンテナ部に接続される、ＩＣカード機能に利用される回路（図示せず）と、充電に利用される回路（図示せず）とは、例えば、スイッチ部（図示せず）によって切り替えられる。すなわち、充電が行われない場合には、スイッチ部は、第２アンテナ部とＩＣカード機能に利用される回路とを接続する。一方、充電が行われる場合には、スイッチ部は、第２アンテナ部と充電に利用される回路とを接続する。
これにより、スマートフォン１は、第２アンテナ部を共用できるため、ＩＣカード機能のアンテナを受電部６０とは別に設ける場合に比べて小型化することができる。
【００８５】
また、スマートフォン１は、複数の受電部６０それぞれの温度を測定する温度測定部（図示せず）をさらに備えることが好ましい。温度測定部は、例えば、サーミスタである。この場合、コントローラ１０は、複数の受電部６０のうち、温度測定部によって測定される温度がより低い受電部６０によって第２電磁波を受電させる。
【００８６】
例えば、コントローラ１０が受電優先モードに設定した場合には、温度測定部によって測定される温度がより低い１又は複数の受電部６０によって第２電磁波を受電させる。この場合、送電部１０１は、第２制御部１０３の制御に基づいて、第２電磁波を受電する受電部６０に対向する位置から第２電磁波を送電する。
【００８７】
そして、受電部６０が第２電磁波を受電することに基づいて温度が上昇した場合には、コントローラ１０は、温度が上昇した受電部６０を除く他の受電部６０のうち、温度測定部によって測定される温度がより低い受電部６０によって第２電磁波を受電させる。すなわち、コントローラ１０は、第２電磁波を受電する受電部６０を切り替える。この場合、送電部１０１は、第２制御部１０３の制御に基づいて、切り替え後の受電部６０に対向する位置から第２電磁波を送電する。
【００８８】
このようなスマートフォン１及び充電器１００を備えるシステム２００は、上記の例示を繰り返すことにより、より温度の低い受電部６０によって受電された第２電磁波に基づいて二次電池６４を充電させることができる。
【００８９】
次に、スマートフォン１の二次電池６４が充電される場合の動作について説明する。図９は、スマートフォン１の二次電池６４が充電される場合の動作を説明するためのフローチャートである。
【００９０】
ステップＳＴ１において、コントローラ１０は、通信ユニット６によって通信が行われているか否かを判断する。通信が行われている場合（Ｙｅｓ）には、処理は、ステップＳＴ２に進む。通信が行われていない場合（Ｎｏ）には、処理は、ステップＳＴ８に進む。
【００９１】
ステップＳＴ２において、コントローラ１０は、ユーザが受電優先モードを選択したか否かを判断する。受電優先モードが選択された場合（Ｙｅｓ）には、処理は、ステップＳＴ３に進む。受電優先モードが選択されていない場合（Ｎｏ）には、処理は、ステップＳＴ５に進む。
【００９２】
ステップＳＴ３において、コントローラ１０は、二次電池６４の電池残量を管理するようユーザによって設定されているか否かを判断する。電池残量を管理する場合（Ｙｅｓ）には、処理は、ステップＳＴ４に進む。電池残量を管理しない場合（Ｎｏ）には、処理は、ステップＳＴ８に進む。
【００９３】
ステップＳＴ４において、コントローラ１０は、二次電池６４の電池残量が第１の閾値未満であるか否かを判断する。電池残量が第１の閾値未満ではない場合（Ｎｏ）には、処理は、ステップＳＴ７に進む。電池残量が第１の閾値未満の場合（Ｙｅｓ）には、処理は、ステップＳＴ８に進む。
【００９４】
また、ステップＳＴ２で「Ｎｏ」と判断された場合、ステップＳＴ５において、コントローラ１０は、受信信号強度（ＲＳＳＩ）を管理するようユーザによって設定されているか否かを判断する。ＲＳＳＩを管理する場合（Ｙｅｓ）には、処理は、ステップＳＴ６に進む。ＲＳＳＩを管理しない場合（Ｎｏ）には、処理は、ステップＳＴ７に進む。
【００９５】
ステップＳＴ６において、ＲＳＳＩの値が第２の閾値未満か否かを判断する。ＲＳＳＩ値が第２の閾値未満ではない場合（Ｎｏ）には、処理は、ステップＳＴ７に進む。ＲＳＳＩ値が第２の閾値未満の場合（Ｙｅｓ）には、処理は、ステップＳＴ８に進む。
【００９６】
ステップＳＴ７において、コントローラ１０は、第２受電部６１で第２電磁波を受電させる。この場合、第２制御部１０３は、第２受電部６１に対向する位置の送電部１０１から第２電磁波を送電させる。
【００９７】
ステップＳＴ８において、コントローラ１０は、充電効率が良い受電部６０で第２電磁波を受電させる。この場合、第２制御部１０３は、その受電部６０に対向するような位置の送電部１０１から第２電磁波を送電させる。例えば、コントローラ１０は、第２受電部６１、第１受電部６２及び第３受電部６３のなかから第２電磁波の受電効率が良い組み合わせを選択し、選択した受電部６０によって第２電磁波を受電させる。この場合、第２制御部１０３は、選択された受電部６０に対向するような位置の送電部１０１から第２電磁波を送電させる。
【００９８】
本発明を完全かつ明瞭に開示するために特徴的な実施例に関し記載してきた。しかし、添付の請求項に係る発明は、上記実施例に限定されるべきものでなく、本明細書に示した基礎的事項の範囲内で当該技術分野の当業者が創作しうるすべての変形例及び代替可能な構成を具現化するように構成されるべきである。
【００９９】
例えば、図５に示した各プログラムは、複数のモジュールに分割されていてもよいし、他のプログラムと結合されていてもよい。
【０１００】
上記の実施形態では、タッチスクリーンディスプレイを備える装置の一例として、スマートフォンについて説明したが、添付の請求項に係る装置は、スマートフォンに限定されない。例えば、添付の請求項に係る装置は、モバイルフォン、携帯型パソコン、デジタルカメラ、メディアプレイヤ、電子書籍リーダ、ナビゲータ、又はゲーム機等の携帯電子機器であってもよい。添付の請求項に係る装置は、デスクトップパソコン、テレビ受像器等の据え置き型の電子機器であってもよい。
【０１０１】
上記の実施形態では、コントローラ１０が、図７に示すように一のアドレス情報が選択された状態で所定の動作を検出すると、選択されたレコードと一のグループ情報の値が共通するアドレス情報を、アドレス帳情報に記憶されている複数のアドレス情報から抽出することとしたが、これに限られない。
【０１０２】
例えば、コントローラ１０は、一のアドレス情報がタッチされた場合に、例えば、図１２に示されるように、当該アドレス情報に係るメニュー情報を表示させるようにしてもよい。そして、コントローラ１０は、このメニュー情報が表示されている場合において、所定動作を検出したことに応じて、選択されたレコードと一のグループ情報の値が共通するアドレス情報を、アドレス帳情報から抽出するようにしてもよい。
【０１０３】
例えば、コントローラ１０は、一のアドレス情報がタッチジェスチャで選択された後に、一のアドレス情報に対する他のタッチジェスチャが検出された場合、選択されたレコードと一のグループ情報の値が共通するアドレス情報を抽出するようにしてもよい。この他のタッチジェスチャとしては、例えばフリック、スイープ等が挙げられる。この場合、アドレス情報を選択するタッチジェスチャと、共通するアドレス情報を抽出する他のジェスチャを連続なジェスチャとして入力することができる。
【０１０４】
このように、本発明の実施形態は下記の態様が含まれる。すなわち、本発明は、通信に用いられる第１電磁波を送信又は受信するアンテナ部６Ａと、充電に用いられる第２電磁波を受電する複数の受電部（第１受電部６２・第２受電部６１・第３受電部６３）と、前記アンテナ部６Ａによって前記第１電磁波が送信又は受信される場合、前記複数の受電部のうち、アンテナ部６Ａに最も近い第１受電部６２とは異なる第２受電部６１・第３受電部６３によって第２電磁波を受電するよう制御するコントローラ１０と、を備えるスマートフォン１、及び前記複数の受電部の一部又は全部に対して前記第２電磁波を送電する送電部１０１と、アンテナ部６Ａによって前記第１電磁波を送信又は受信している場合には、第２受電部６１又は第３受電部６３に対して前記第２電磁波を送電するよう、前記送電部を制御する第２制御部１０３と、を備える充電器１００を含んでもよい。
【０１０５】
また、コントローラ１０は、アンテナ部６Ａによって送信又は受信をしている場合である通信優先モードを備え、通信優先モードの場合においては、第１受電部６２を用いずに第２受電部６１・第３受電部６３を用いることによって前記第２電磁波を受電してもよい。
【０１０６】
このように、アンテナ部６Ａによって通信が行われるときは、アンテナ部６Ａによって送受信される電磁波に受電部からの電磁波が干渉しにくくするように、第１受電部６２以外の受電部によってワイヤレス充電が行われるようにしてもよい。
【０１０７】
さらに、コントローラ１０は、第２電磁波が受電される場合に、アンテナ部６Ａによって受信される第１電磁波の受信信号強度が予め設定された第２の閾値未満であると、通信優先モードに設定されるようにして、第１電磁波の受信信号強度が、第１受電部６２による受電によってさらに弱まることを低減させるようにしてもよい。
【０１０８】
さらに、コントローラ１０は、通信優先モードとは別に、受電を優先する受電優先モードを備えてもよい。具体的には、コントローラ１０は、受電優先モードの場合においては、受電部の配されている場所に関係なく、少なくとも２以上の受電部を用いて受電を行うようにして、充電器１００から送電される電力を、より多くの受電部で受電できるようにしてもよい。
【０１０９】
また、スマートフォン１は、二次電池６４の電池残量が、設定された第１の閾値未満の場合には、モードが上述した受電優先モードなるようにして、電池残量が残り少なくなってきた場合には、複数の受電部を用いることによってより早く充電が行われるようにしてもよい。
【０１１０】
さらにスマートフォン１は、通信優先モードの場合には、第２受電部６１又は第３受電部６３に向かって第２電磁波を送電させるよう制御する制御信号を通信ユニット６から送信し、充電器１００は、当該制御信号を受信部１０２から受信し、第２制御部１０３は前記制御信号に基づいて、第２受電部６１又は第３受電部６３に向かって第２電磁波を送電するよう送電部を制御してもよい。
【符号の説明】
【０１１１】
１    スマートフォン（電子機器）
６    通信ユニット
６Ａ    アンテナ部
１０    コントローラ（第１制御部）
６０    受電部
６１    第２受電部（第２の受電部）
６２    第１受電部（第１の受電部）
６３    第３受電部（第２の受電部）
６４    二次電池
６５    送信部
１００    充電器
１０１    送電部
１０２    受信部
１０３    第２制御部
【図１】
2013201839.tif 000003
【図２】
2013201839.tif 000004
【図３】
2013201839.tif 000005
【図４】
2013201839.tif 000006
【図５】
2013201839.tif 000007
【図６】
2013201839.tif 000008
【図７】
2013201839.tif 000009
【図８】
2013201839.tif 000010
【図９】
2013201839.tif 000011